【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
プレス力を加えるべく変位することができるラムを有するプレス工具に係合して、プレス工具と一緒に使用されるように構成されたプレス枠であって、
プレス工具に着脱可能に係合するフレームであって、プレス工具に係合するように構成された第１の端部と、第１の端部の反対側の第２の端部と、第１および第２の端部の間に少なくとも部分的に画定され、フレームの外側領域に沿ってアクセスすることが可能であるおおむね中空の内部とを画定しているフレームと、
フレームに画定された中空の内部に配置され、工具のラムに係合して、プレス工具からのプレス力を伝達するように構成されている可動プランジャと、
フレームの第２の端部の付近に配置され、被加工物または被加工物へと接続されるコネクタの少なくとも一方を受け入れるための溝状の凹所を画定している固定のアンビルと、
フレームに画定された中空の内部に配置されて、プランジャとアンビルとの間に位置し、コネクタを支持するように構成された受け入れ領域を画定している可動シューとを備え、
プレス工具のラムの変位時に、プランジャがシューに向かって変位させられ、プレス力の印加が、アンビルに向かってシューへと伝達される、プレス枠。
【請求項２】
フレームへと固定されたハウジングをさらに備える、請求項１に記載のプレス枠。
【請求項３】
シューが第１のシューであり、
プレス枠が、
コネクタを支持するように構成されたクレードル受け入れ領域を画定している第２のシューをさらに備える、請求項１に記載のプレス枠。
【請求項４】
第２のシューが、プレス枠へと着脱可能に取り付けられる、請求項３に記載のプレス枠。
【請求項５】
第２のシューが、第２のシューとプレス枠との間を延びる細ひもによってプレス枠へと着脱可能に取り付けられる、請求項４に記載のプレス枠。
【請求項６】
第２のシューが、第１のシューと入れ子になるように構成されている、請求項３に記載のプレス枠。
【請求項７】
第２のシューに入れ子にされる第３のシューをさらに備える、請求項６に記載のプレス枠。
【請求項８】
シューに係合し、シューをフレームの第２の端部およびアンビルに向かって駆動する付勢部材をさらに備える、請求項１に記載のプレス枠。
【請求項９】
互いへと固定された第１のフレーム部材および第２のフレーム部材を含む支持アセンブリであって、第１および第２のフレーム部材が、間隔を空けて位置して互いにおおむね平行に向いており、近位端および近位端の反対側の遠位端を画定している支持アセンブリと、
第１および第２のフレーム部材の間に可動に配置され、支持アセンブリの近位端に隣接して位置しているプランジャと、
支持アセンブリの遠位端において支持アセンブリへと固定されたアンビルと、
支持アセンブリ内に可動に配置され、プランジャとアンビルとの間に位置し、支持アセンブリの近位端の方を向いた近位面と、支持アセンブリの遠位端の方を向いた遠位面とを画定しており、遠位面に沿ってクレードルが画定されている少なくとも１つのシューとを備え、
アンビルに向かう方向の力がプランジャへと加えられたときに、プランジャが少なくとも１つのシューの近位面に係合して、少なくとも１つのシューをアンビルに向かって移動させるプレス枠。
【請求項１０】
少なくとも１つのシューが、第１のシューおよび第２のシューを備え、第１のシューが支持アセンブリの近位端と第２のシューとの間に配置され、第２のシューが第１のシューとアンビルとの間に配置されている、請求項９に記載のプレス枠。
【請求項１１】
プランジャが、支持アセンブリの遠位端に向かって延びる突起を含み、第１のシューが、プランジャの突起を受け入れるように寸法および構成付けられた係合穴を画定している、請求項１０に記載のプレス枠。
【請求項１２】
第１のシューが、支持アセンブリの近位端の方を向いた近位面と、支持アセンブリの遠位端の方を向いた反対向きの遠位面とを画定しており、第１のシューがまた、近位面に沿った凹状の収容領域を画定しており、第２のシューが、支持アセンブリの近位端の方を向いた近位面と、支持アセンブリの遠位端の方を向いた反対向きの遠位面とを画定しており、第２のシューが、第２のシューの近位面から延びる突き出し係合領域を含み、第２のシューの突き出し係合領域が、一次シューの凹状の収容領域に接触するように構成されている、請求項１０に記載のプレス枠。
【請求項１３】
少なくとも１つのシューと支持アセンブリとの間を延びる細ひもアセンブリをさらに備える、請求項９に記載のプレス枠。
【請求項１４】
細ひもアセンブリが、
少なくとも１つのシューへと固定されたポストと、
支持アセンブリへと固定された解放可能な留め金と、
ポストと留め金との間を延びるケーブルとを含む、請求項１３に記載のプレス枠。
【請求項１５】
支持アセンブリへと固定され、支持アセンブリの近位端と支持アセンブリの遠位端との間を延びており、プレス枠の少なくとも１つのシューとアンビルとの間の領域を少なくとも部分的に囲んでいるハウジングをさらに備える、請求項９に記載のプレス枠。
【請求項１６】
少なくとも１つのシューが、第１のシューおよび第２のシューを含み、
プレス枠が、
第２のシューへと固定された第１のポストと、
第１のシューへと固定され、頭部を有する第２のポストと、
第１のポストへと固定され、第１のポストを中心にして枢動可能であり、狭い領域と広げられた領域とを有するスロットを画定しているプレートと、
第１のポストおよび第２のポストへと固定されて第１のポストと第２のポストとの間を延びているケーブルとをさらに備え、
第１および第２のシューが、第２のポストをプレートに画定されたスロットの狭い領域に位置させることによって互いに固定される、請求項９に記載のプレス枠。
【請求項１７】
第１および第２のシューが、第２のポストがプレートに画定されたスロットの広げられた領域に位置するようにプレートを枢動させることによって、互いから解放される、請求項１６に記載のプレス枠。
【請求項１８】
少なくとも１つのシューが、
第２のシューの内側に入れ子にされるように構成された第３のシューをさらに備える、請求項１０に記載のプレス枠。
【請求項１９】
プレス力を加えるべく変位することができるラムを有するプレス工具に係合して、プレス工具と一緒に使用されるように構成されたプレス枠であって、
プレス工具に着脱可能に係合するフレームであって、プレス工具に係合するように構成された第１の端部と、第１の端部の反対側の第２の端部と、第１および第２の端部の間に少なくとも部分的に画定され、フレームの外側領域に沿ってアクセスすることが可能であるおおむね中空の内部とを画定しているフレームと、
フレームに画定された中空の内部に配置され、工具のラムに係合して、プレス工具からのプレス力を伝達するように構成されている可動プランジャと、
フレームの第２の端部の付近に配置され、フレームへと解放可能に固定され、第１のコネクタに対応するように構成された第１の内部構成と、第２のコネクタに対応するように構成された第２の内部構成とを画定している治具と、
フレームに画定された中空の内部に配置されて、プランジャと治具との間に位置し、コネクタを支持するように構成されたクレードル受け入れ領域を画定している可動シューとを備え、
プレス工具のラムの変位時に、プランジャがシューに向かって変位させられ、プレス力の印加が、治具に向かってシューへと伝達される、プレス枠。
【請求項２０】
シューが第１のシューであり、
プレス枠が、
中空の内部に配置され、コネクタを支持するように構成されたクレードル受け入れ領域を画定している第２の可動シューをさらに備える、請求項１９に記載のプレス枠。
【請求項２１】
治具が、治具を解放可能にフレームへと固定する少なくとも１つの回転部材を備え、少なくとも１つの回転部材によって、治具をフレームへと固定された状態で回転部材を中心にして回転させることができる、請求項１９に記載のプレス枠。
【請求項２２】
互いへと固定された第１のフレーム部材および第２のフレーム部材を含む支持アセンブリであって、第１および第２のフレーム部材が、間隔を空けて位置して互いにおおむね平行に向いており、近位端および近位端の反対側の遠位端を画定している支持アセンブリと、
第１および第２のフレーム部材の間に可動に配置され、支持アセンブリの近位端に隣接して位置しており、支持アセンブリの遠位端に向かって延びる突起を含むプランジャと、
支持アセンブリの遠位端において支持アセンブリへと固定されたアンビルと、
支持アセンブリの近位端とアンビルとの間に位置し、支持アセンブリの近位端の方を向いた近位面と、アンビルの方を向いた反対向きの遠位面とを画定しており、近位面に沿って係合穴が画定され、遠位面に沿って凹状の受け入れ領域が画定されている第１のシューと、
第１のシューとアンビルとの間に位置し、支持アセンブリの近位端の方を向いた近位面と、アンビルの方を向いた反対向きの遠位面とを画定しており、さらに遠位面に沿ってクレードルを画定しており、近位面から延びる突き出し係合領域を含み、突き出し係合領域が第１のシューの凹状の受け入れ領域に心合わせする第２のシューと、
第２のシューへと固定された第１のポストと、第１のシューへと固定された第２のポストと、第１および第２のシューを選択的に結合させるべく少なくとも２つの位置の間を枢動することができるプレートと、支持アセンブリへと固定された解放可能な留め金と、第１のポストと留め金との間を延びるケーブルとを含む細ひもアセンブリと、
支持アセンブリへと固定され、支持アセンブリの近位端と支持アセンブリの遠位端との間を延びており、プレス枠の第２のシューとアンビルとの間の領域を少なくとも部分的に囲んでいるハウジングとを備え、
アンビルに向かう方向の力がプランジャへと加えられたときに、プランジャが、突起が第１のシューに画定された収容穴に係合するように変位させられ、第１のシューおよび第２のシューをアンビルに向かって変位させる、プレス枠。
【請求項２３】
プレス枠に配置された被加工物またはコネクタに対して軸方向のプレス力を加えるべく変位することができるラムを有するプレス工具に係合して、プレス工具と一緒に使用されるように構成されたプレス枠であって、
プレス工具に係合するように構成された第１の端部と、第１の端部の反対側の第２の端部と、第１の端部および第２の端部の間に少なくとも部分的に画定され、フレームの外側領域に沿ってアクセスすることが可能であるおおむね中空の内部とを画定しているフレームと、
フレームに画定された中空の内部に配置され、プレス工具のラムに係合して、プレス工具からのプレス力を伝達するように構成されている可動プランジャと、
フレームの第２の端部の付近に配置され、被加工物または被加工物へと接続されるコネクタの少なくとも一方を受け入れるための溝状の凹所を画定しているアンビルと、
フレームに画定された中空の内部に可動に配置され、フレームの第１の端部の方を向いた近位面と、フレームの第２の端部の方を向いた遠位面とを画定するとともに、コネクタを受け入れて支持するために遠位面に沿ったクレードルを画定している少なくとも１つのシューと、
少なくとも１つのシューをフレームの第２の端部に向かって駆動する付勢部材とを備える、プレス枠。
【請求項２４】
付勢部材が、少なくとも１つのシューへと固定されたポストと、ポストとフレームとの間を延びているばねとを備える、請求項２３に記載のプレス枠。
【請求項２５】
付勢部材が、心合わせ部材をさらに備える、請求項２４に記載のプレス枠。
【請求項２６】
少なくとも１つのシューが、第１のシューおよび第２のシューを備え、第１のシューが、フレームの第１の端部と第２のシューとの間に配置され、第２のシューが、第１のシューとアンビルとの間に配置される、請求項２３に記載のプレス枠。
【請求項２７】
第１のシューが、フレームの第１の端部の方を向いた近位面と、フレームの第２の端部の方を向いた反対向きの遠位面とを画定するとともに、遠位面に沿った凹状の受け入れ領域をさらに画定しており、
第２のシューが、フレームの第１の端部の方を向いた近位面と、フレームの第２の端部の方を向いた反対向きの遠位面とを画定するとともに、第２のシューの近位面から延びる突き出し係合領域を備え、第２のシューの突き出し係合領域が、第１のシューの凹状の受け入れ領域に接触するように構成されている、請求項２６に記載のプレス枠。
【請求項２８】
フレームへと取り付けられてフレームの下面をおおむね囲むハウジングをさらに備える、請求項２３に記載のプレス枠。
【請求項２９】
少なくとも１つのシューをフレームへと着脱可能に取り付ける細ひもアセンブリをさらに備える、請求項２３に記載のプレス枠。
【請求項３０】
細ひもアセンブリが、
少なくとも１つのシューへと固定されたポストと、
フレームへと固定された解放可能な留め金と、
ポストと留め金との間を延びるケーブルとを含む、請求項２９に記載のプレス枠。
【請求項３１】
アンビルが、アンビルを解放可能にフレームへと固定する少なくとも１つの回転部材を備え、少なくとも１つの回転部材によって、アンビルをフレームへと固定された状態で回転部材を中心にして回転させることができる、請求項２３に記載のプレス枠。
【請求項３２】
プランジャが、プレス枠がプレス工具に係合させられるときにプレス工具の係合部材を受け入れるための長手方向の開口を画定している、請求項２３に記載のプレス枠。
【請求項３３】
プレス枠に配置された被加工物またはコネクタに対して軸方向のプレス力を加えるべく変位することができるラムを有するプレス工具に係合して、プレス工具と一緒に使用されるように構成されたプレス枠であって、
プレス工具に係合するように構成された第１の端部と、第１の端部の反対側の第２の端部と、第１および第２の端部の間に少なくとも部分的に画定され、フレームの外側領域に沿ってアクセスすることが可能であるおおむね中空の内部とを画定しており、プレス工具に着脱可能に係合することができるフレームと、
フレームに画定された中空の内部に配置され、工具のラムに係合して、プレス工具からのプレス力を伝達するように構成されている可動プランジャと、
フレームの第２の端部の付近に配置され、被加工物または被加工物へと接続されるコネクタの少なくとも一方を受け入れるための溝状の凹所を画定しているアンビルと、
フレームに画定された中空の内部に配置され、プランジャとアンビルとの間に位置する可動の第１のシューと、
フレームに画定された中空の内部にやはり配置され、第１のシューとアンビルとの間に位置し、コネクタを支持するように構成されたクレードル受け入れ領域を画定している可動の第２のシューとを備え、
プレス工具のラムの変位時に、プランジャが第１および第２のシューに向かって変位させられ、軸方向のプレス力の印加が、アンビルに向かって第１および第２のシューへと伝達される、プレス枠。
【請求項３４】
第２のシューが、プレス枠に着脱可能に取り付けられる、請求項３３に記載のプレス枠。
【請求項３５】
第１のシューが、フレームの第１の端部の方を向いた近位面と、フレームの第２の端部の方を向いた反対向きの遠位面とを画定するとともに、遠位面に沿った凹状の受け入れ領域をさらに画定しており、
第２のシューが、フレームの第１の端部の方を向いた近位面と、フレームの第２の端部の方を向いた反対向きの遠位面とを画定するとともに、第２のシューの近位面から延びる突き出し係合領域を備え、第２のシューの突き出し係合領域が、第１のシューの凹状の受け入れ領域に接触するように構成されている、請求項３３に記載のプレス枠。
【請求項３６】
第２のシューと入れ子になるように構成された第３のシューをさらに備える、請求項３５に記載のプレス枠。
【請求項３７】
第１のシューをフレームの第２の端部およびアンビルに向かって駆動すべく第１のシューに係合する付勢部材をさらに備える、請求項３３に記載のプレス枠。
【請求項３８】
第２のシューが、第２のシューとフレームとの間を延びる細ひもによってプレス枠に着脱可能に取り付けられる、請求項３３に記載のプレス枠。
【請求項３９】
（ｉ）第１のシューおよび第２のシューの少なくとも一方へと固定されたポストと、（ｉｉ）フレームへと固定された解放可能な留め金と、（ｉｉｉ）ポストと留め金との間を延びるケーブルとを含む細ひもアセンブリをさらに備える、請求項３３に記載のプレス枠。
【請求項４０】
第２のシューに固定された第１のポストと、
第１のシューへと固定され、頭部を有する第２のポストと、
第１のポストへと固定され、第１のポストを中心にして枢動可能であり、狭い領域と広げられた領域とを有するスロットを画定しているプレートとをさらに備え、
第１および第２のシューが、第２のポストをプレートに画定されたスロットの狭い領域に位置させることによって互いに固定される、請求項３３に記載のプレス枠。
【請求項４１】
第１および第２のシューが、第２のポストがプレートに画定されたスロットの広げられた領域に位置するようにプレートを枢動させることによって、互いから解放される、請求項４０に記載のプレス枠。
【請求項４２】
プランジャが、プレス枠がプレス工具に係合させられるときにプレス工具の係合部材を受け入れるための長手方向の開口を画定している、請求項３３に記載のプレス枠。
【請求項４３】
フレームへと固定されたハウジングをさらに備える、請求項３３に記載のプレス枠。
【請求項４４】
ハウジングが、プレス枠の下面をおおむね囲む、請求項４３に記載のプレス枠。
【請求項４５】
アンビルが、アンビルを解放可能にフレームへと固定する少なくとも１つの回転部材を備え、少なくとも１つの回転部材によって、アンビルをフレームへと固定された状態で回転部材を中心にして回転させることができる、請求項３３に記載のプレス枠。
【請求項４６】
プレス枠に配置された被加工物またはコネクタに対して軸方向のプレス力を加えるべく変位することができるラムを有するプレス工具に係合して、プレス工具と一緒に使用されるように構成されたプレス枠であって、
プレス工具に係合するように構成された第１の端部と、第１の端部の反対側の第２の端部と、第１および第２の端部の間に少なくとも部分的に画定され、フレームの外側領域に沿ってアクセスすることが可能であるおおむね中空の内部とを画定しているフレームと、
フレームに画定された中空の内部に配置され、プレス工具のラムに係合して、プレス工具からのプレス力を伝達するように構成されている可動プランジャと、
フレームの第２の端部の付近に配置され、被加工物または被加工物へと接続されるコネクタの少なくとも一方を受け入れるための溝状の凹所を画定しているアンビルと、
フレームに画定された中空の内部に可動に配置され、フレームの第１の端部の方を向いた近位面と、フレームの第２の端部の方を向いた遠位面とを画定するとともに、コネクタを受け入れて支持するために遠位面に沿ったクレードルを画定している少なくとも１つのシューと、
フレームへと取り付けられてフレームの下面をおおむね囲むハウジングとを備える、プレス枠。
【請求項４７】
ハウジングが、外向きの面を画定しており、外向きの面にラベルまたはしるしを備える、請求項４６に記載のプレス枠。
【請求項４８】
少なくとも１つのシューをフレームの第２の端部に向かって駆動するための付勢部材をさらに備える、請求項４６に記載のプレス枠。
【請求項４９】
付勢部材が、少なくとも１つのシューへと固定されたポストと、ポストとフレームとの間を延びているばねとを備える、請求項４８に記載のプレス枠。
【請求項５０】
付勢部材が、心合わせ部材を備える、請求項４９に記載のプレス枠。
【請求項５１】
少なくとも１つのシューが、第１のシューおよび第２のシューを備え、第１のシューが、フレームの第１の端部と第２のシューとの間に配置され、第２のシューが、第１のシューとアンビルとの間に配置される、請求項４６に記載のプレス枠。
【請求項５２】
少なくとも１つのシューをフレームへと着脱可能に取り付ける細ひもアセンブリをさらに備える、請求項４６に記載のプレス枠。
【請求項５３】
細ひもアセンブリが、
少なくとも１つのシューへと固定されたポストと、
フレームへと固定された解放可能な留め金と、
ポストと留め金との間を延びるケーブルとを含む、請求項５２に記載のプレス枠。
【請求項５４】
アンビルが、アンビルを解放可能にフレームへと固定する少なくとも１つの回転部材を備え、少なくとも１つの回転部材によって、アンビルをフレームへと固定された状態で回転部材を中心にして回転させることができる、請求項４６に記載のプレス枠。
【請求項５５】
プランジャが、プレス枠がプレス工具に係合させられるときにプレス工具の係合部材を受け入れるための長手方向の開口を画定している、請求項４６に記載のプレス枠。
【請求項５６】
プレス枠に配置された被加工物またはコネクタに対して軸方向のプレス力を加えるべく変位することができるラムを有するプレス工具に係合して、プレス工具と一緒に使用されるように構成されたプレス枠であって、
プレス工具に係合するように構成された第１の端部と、第１の端部の反対側の第２の端部と、第１および第２の端部の間に少なくとも部分的に画定され、フレームの外側領域に沿ってアクセスすることが可能であるおおむね中空の内部とを画定しているフレームと、
フレームに画定された中空の内部に配置され、プレス工具のラムに係合して、プレス工具からのプレス力を伝達するように構成されている可動プランジャと、
フレームの第２の端部の付近に配置され、被加工物または被加工物へと接続されるコネクタの少なくとも一方を受け入れるための溝状の凹所を画定しているアンビルと、
フレームに画定された中空の内部に可動に配置され、フレームの第１の端部の方を向いた近位面と、フレームの第２の端部の方を向いた遠位面とを画定するとともに、コネクタを受け入れて支持するために遠位面に沿ったクレードルを画定している少なくとも１つのシューと、
少なくとも１つのシューをフレームへと着脱可能に取り付ける細ひもアセンブリを備える、プレス枠。
【請求項５７】
細ひもアセンブリが、
少なくとも１つのシューへと固定されたポストと、
フレームへと固定された解放可能な留め金と、
ポストと留め金との間を延びるケーブルとを含む、請求項５６に記載のプレス枠。
【請求項５８】
第２のシューに固定された第１のポストと、
第１のシューへと固定され、頭部を有する第２のポストと、
第１のポストへと固定され、第１のポストを中心にして枢動可能であり、狭い領域と広げられた領域とを有するスロットを画定しているプレートとをさらに備え、
第１および第２のシューが、第２のポストをプレートに画定されたスロットの狭い領域に位置させることによって互いに固定される、請求項５６に記載のプレス枠。
【請求項５９】
第１および第２のシューが、第２のポストがプレートに画定されたスロットの広げられた領域に位置するようにプレートを枢動させることによって、互いから解放される、請求項５８に記載のプレス枠。
【請求項６０】
少なくとも１つのシューをフレームの第２の端部およびアンビルに向かって駆動すべく少なくとも１つのシューに係合する付勢部材をさらに備える、請求項５６に記載のプレス枠。
【請求項６１】
付勢部材が、少なくとも１つのシューへと固定されたポストと、ポストとフレームとの間を延びているばねとを備える、請求項６０に記載のプレス枠。
【請求項６２】
少なくとも１つのシューが、第１のシューおよび第２のシューを備え、第１のシューが、フレームの第１の端部と第２のシューとの間に配置され、第２のシューが、第１のシューとアンビルとの間に配置される、請求項６１に記載のプレス枠。
【請求項６３】
フレームへと取り付けられてフレームの下面をおおむね囲むハウジングをさらに備える、請求項５６に記載のプレス枠。
【請求項６４】
アンビルが、アンビルを解放可能にフレームへと固定する少なくとも１つの回転部材を備え、少なくとも１つの回転部材によって、アンビルをフレームへと固定された状態で回転部材を中心にして回転させることができる、請求項５６に記載のプレス枠。
【請求項６５】
プランジャが、プレス枠がプレス工具に係合させられるときにプレス工具の係合部材を受け入れるための長手方向の開口を画定している、請求項５６に記載のプレス枠。